(57)【要約】【課題】インターネットに常時接続した状態でもハッカーによる侵入の恐れがきわめて少なく、パソコンのハードディスク内の情報を読み取られたり改ざんされたり破壊されることがなく、またパソコンの未使用時間を利用することのできる監視システムを提供する。【解決手段】通常はＷｉｎｄｏｗｓＯＳで作動するパソコン１にビデオカメラを接続し、ＦＤ４には、パソコン１をＬｉｎｕｘで起動するプログラムと、ユーザが登録しているインターネットサービスプロバイダに対するログオンアカウントやパスワード、電子メールアドレスを記録し、ＣＤ−ＲＯＭ３にはビデオカメラで撮影された画像を画像処理してインターネットを介して配信するソフトウエアを格納する。起動時にパソコン１はＦＤ４が挿入されているかどうかを判断し、挿入されておれば監視システムが立ち上がり、挿入されていなければ通常のＷｉｎｄｏｗｓが立ち上がる。【選択図】          図１
2004280137.tif 000002
【特許請求の範囲】
【請求項１】
第１および第２のＯＳで作動し、外部記憶装置として、前記第１のＯＳ上で作動するハードディスクドライブと、両ＯＳで作動するフレキシブルディスクドライブおよび光ディスクドライブとを備えたパソコンであって、電源の立ち上げ時に前記フレキシブルドライブにフレキシブルディスクがセットされていればそのフレキシブルディスクの内容を読み込み、フレキシブルディスクがセットされていないときは前記第１のＯＳで起動するように構成されたパソコンにおいて、
前記パソコンにはビデオカメラが接続され、前記フレキシブルディスクには、当該パソコンを前記第２のＯＳで起動するプログラムと、ユーザが登録しているインターネットサービスプロバイダに対するログオンアカウントやパスワード、電子メールアドレスが記録され、前記光ディスクドライブにセットされる光ディスクには前記ビデオカメラで撮影された画像を画像処理してインターネットを介して配信するソフトウエアが格納されていることを特徴とする、パソコンを利用した映像監視システム。
【請求項２】
前記第１のＯＳはマイクロソフトＷｉｎｄｏｗｓであり、前記第２のＯＳはＬｉｎｕｘであることを特徴とする請求項１記載のパソコンを利用した映像監視システム。
【発明の詳細な説明】
【０００１】
【発明の属する技術分野】
本発明は、特に、パソコン（パーソナルコンピュータ）の未使用時間を利用して映像監視を行う映像監視システムに関する。
【０００２】
【従来の技術】
監視対象をビデオカメラなどで撮像して遠隔のモニターで監視するシステムは従来よりいろいろ提案され、実施されているが、いずれも、構成が複雑で価格が嵩み、一般ユーザが例えば家庭において導入することは困難である。
例えば、留守宅の状況や、家にいる子供、年寄り、病人等の様子を出先から確認したい場合に、出先のパソコンや携帯電話で監視できればいいと思うが、今までの監視システムの場合、とても一般の人が購入できる価格ではないし、サービス業者が介在すると、その業者に支払うコストも掛かる。
【０００３】
近年では、カメラで撮影した画像をインターネットを介して遠隔のパソコンや携帯電話のウェブ画面でモニターするシステムが提案されている。例えば、本出願人が開発した特許第３３４７６８４号公報（特許文献１）に係るリアルタイム動画転送方法では、撮像された動画像をサーバ側からクライアント側へ転送する方法において、撮像された動画像を３次元空間の直方体領域に対応したルックアップテーブルを用いて逐次処理を行うことにより３次元情報を１次元情報へ変換し、変換された原データをソフトウエア圧縮手法により圧縮して、インターネット等の通信通路を介して転送するようにしている。これにより、リアルタイム動画像の高速、高画質転送が可能となった。
【０００４】
特に、ＡＤＳＬ（Ａｓｙｍｍｅｔｒｉｃ  Ｄｉｇｉｔａｌ  Ｓｕｂｓｃｒｉｂｅｒ  Ｌｉｎｅ：非対称デジタル加入者回線）がインターネット通信回線として普及してきたことにより、常時接続のメリットを活用して、カメラで撮影した画像を画像配信サーバに取り込んでインターネットを通じて配信することが可能となった。
【０００５】
【特許文献１】
特許第３３４７６８４号公報
【０００６】
【発明が解決しようとする課題】
しかし、前記のリアルタイム動画像転送方法を実行するためのソフトウエアをパソコンにインストールし、インターネット回線としてＡＤＳＬのような常時接続回線を用いて、画像監視を行おうとすると、次のような問題が生じる。
（１）画像監視を行う際、通信回線としてのインターネットに常時接続した状態であるので、ハッカーの侵入の恐れがある。
（２）ハッカーにより、パソコンのハードディスク内の情報を読み取られたり、改ざんされたり、破壊されたりする危険性が伴う。
【０００７】
本発明は、インターネットに常時接続した状態でもハッカーによる侵入の恐れがきわめて少なく、たとえ侵入されたとしても、パソコンのハードディスク内の情報を読み取られたり改ざんされたり破壊されることのない監視システムを提供すること、併せて、通常使用しているパソコンの未使用時間を利用することのできる監視システムを提供することを目的とする。
【０００８】
【課題を解決するための手段】
本発明のパソコンを利用した監視システムは、第１および第２のＯＳで作動し、外部記憶装置として、前記第１のＯＳ上で作動するハードディスクドライブと、両ＯＳで作動するフレキシブルディスクドライブおよび光ディスクドライブとを備えたパソコンであって、電源の立ち上げ時に前記フレキシブルドライブにフレキシブルディスクがセットされていればそのフレキシブルディスクの内容を読み込み、フレキシブルディスクがセットされていないときは前記第１のＯＳで起動するように構成されたパソコンにおいて、前記パソコンにはビデオカメラが接続され、前記フレキシブルディスクには、当該パソコンを前記第２のＯＳで起動するプログラムと、ユーザが登録しているインターネットサービスプロバイダに対するログオンアカウントやパスワード、電子メールアドレスが記録され、前記光ディスクドライブにセットされる光ディスクには前記ビデオカメラで撮影された画像を画像処理してインターネットを介して配信するソフトウエアが格納されていることを特徴とする。
【０００９】
前記第１のＯＳとしては、マイクロソフトＷｉｎｄｏｗｓ（登録商標）とし、前記第２のＯＳとしてはＬｉｎｕｘ（登録商標）とすることができる。
【００１０】
前記光ディスクドライブで読み取り可能な記録媒体としては、ＣＤ−ＲＯＭ、ＤＶＤ−ＲＯＭ等が挙げられるが、それに限定されない。
【００１１】
この発明においては、パソコンの光ディスクドライブ、例えばＣＤ−ＲＯＭドライブに、監視システムのソフトの入ったＣＤ−ＲＯＭをセットし、ＦＤ（フレキシブルディスク）ドライブに、インターネットに接続するためのアカウントの情報や異常時の通知先をセットしたＦＤを用意する。
この状態でパソコンを起動すると、パソコンは、監視システムの機能を持つ。
【００１２】
ここで、第２のＯＳをＬｉｎｕｘとすることにより、インターネットに常時接続した状態でもハッカーによる侵入の恐れがきわめて少なく、たとえ侵入されたとしても、第２のＯＳとパソコンのハードディスクドライブとは切り離されているため、パソコンのハードディスク内の情報を読み取られたり改ざんされたり破壊されることがない。また、通常使用しているパソコンの未使用時間を利用して留守時の監視を行うため、手持ちのシステムとインターネット接続環境をそのまま利用して、便利な監視システムを安価に導入することができる。
【００１３】
【発明の実施の形態】
以下、本発明の実施の形態を、図を用いて説明する。
図１は、本発明の実施の形態におけるパソコンとＯＳの関係を示すもので、（ａ）は通常のパソコンとして使用する場合、（ｂ）は本発明の監視システムを起動する前の状態、（ｃ）は本発明の監視システムを起動した状態をそれぞれ示している。
【００１４】
同図において、１は通常はＷｉｎｄｏｗｓで動作するパソコン、２は第１のＯＳであるＷｉｎｄｏｗｓ上で作動するハードディスクドライブ（ＨＤＤ）、３は本発明の監視ソフトを記録し、第２のＯＳであるＬｉｎｕｘで動くＣＤ−ＲＯＭ、４はインターネット接続情報や通知先を記録するＦＤを示している。
【００１５】
なお、本システムのユーザのパソコン１は、インターネットサービスプロバイダ等に登録しており、インターネット接続環境を既に行っているものとする。
【００１６】
本実施の形態においては、リアルタイム動画像転送方法、例えば前記の特許文献１において開示された方法を実行するためのプログラムを、Ｌｉｎｕｘ上で作動させるようにし、そのプログラムをＣＤ−ＲＯＭ３に焼き込んだものを提供する。
【００１７】
ＦＤ４には、ユーザが使用しているインターネットへの接続のログオンアカウントやパスワード、あるいは異常時に通報して欲しい電子メールのアドレスを書き込み、書き込み後は書き込み禁止にしておく。
【００１８】
パソコン１には、ビデオキャプチャカード、あるいはＵＳＢカメラなどの映像入力機器を接続できるような環境にする。
ビデオキャプチャカードの場合は、その先に、ビデオカメラ等を接続する。
【００１９】
通常、一般的なソフトで働かせているパソコンとして使用する場合は、そのソフトのプログラムは、ＤＯＳ／Ｖ機であれば基本ＯＳは、マイクロソフト（登録商標）のＷｉｎｄｏｗｓである。ＣＰＵ（中央処理装置）は、ＷｉｎｄｏｗｓＯＳ上でＨＤＤ２を認識し、ＨＤＤ２内に保存されているプログラムやデータにアクセスして、所定の処理を行う。
【００２０】
ここで、パソコン１を本発明の監視システムとして動作させるために、パソコン１の電源を切る。これが必要になる時は、外出時や、パソコン１を利用しない時である。次いで、図１（ｂ）に示すように、ＣＤ−ＲＯＭドライブとＦＤドライブに、先に準備したＣＤ−ＲＯＭ３とＦＤ４を挿入する。なお、ＣＤ−ＲＯＭ３やＦＤ４を挿入するタイミングは、ＣＤ−ＲＯＭ３がオートローディングであることが多いので、パソコン１の電源を切る前でもよい。
【００２１】
図１（ｃ）に示す要のパソコン１の電源を入れると、パソコン１は、まずＦＤ４あるいはＣＤ−ＲＯＭ３から起動し、Ｌｉｎｕｘベースの監視ソフトが動作する。
起動後すぐに、ＬｉｎｕｘＯＳは、ＦＤ４からインターネットへの接続情報を読み取り、ＰＰＰｏＥなどでインターネットに接続する。
このとき、ＦＤ４から、異常時の通知情報も、読み取っておく。
【００２２】
Ｌｉｎｕｘベース監視ソフトは、パソコン１におけるＲＡＭディスクを構築し、動作する。
ビデオカメラからの入力や画像内の動きの検出をすると、映像を記録し、先に読み取った情報を元に、電子メールを送信する。
【００２３】
ユーザは、電子メールを受け取ると、携帯電話や別のパソコンのブラウザを利用して、映像を確認する。
また、現在のライブ映像も、携帯電話やパソコンで確認できるし、保存できる。
パソコン１の監視システムに接続されたブザーやスピーカで、警報を鳴らすこともできる。
【００２４】
ユーザは、自宅に戻ると、そのまま、パソコン１の電源を切り、ＦＤ４を抜いて再度パソコン１の電源を入れると、出かける前と同じ状態でＷｉｎｄｏｗｓが起動する。
監視システムにおいて使用していたＲＡＭ領域は、パソコンの電源を切った時点で全て消去され、Ｗｏｎｄｏｗｓの使用には何ら影響はない。
【００２５】
なお、以上の説明では、パソコン１として現在使用しているパソコンを未使用時に利用することとしたが、購入したけれどもほとんど使用していないパソコンを利用をしたり、動作はするが型が古くなったため新しく購入して使わなくなったパソコンを利用しても、Ｌｉｎｕｘは低スペックでも動作するため、再利用が可能となる。この場合は、必ずしも留守時や夜間時に限らず、任意の時間に監視システムを作動させることができる。
【００２６】
【発明の効果】
以上述べたように、本発明によれば、次の効果を奏する。
（１）パソコンを使用していない間、パソコンの設定、すなわちハードディスクの内容を変更しないで監視システムとして使用することができるため、通常の使用に何ら影響がなく、またＨＤＤの空き容量が少なくなることがない。
（２）パソコンを利用している時は人がいるので監視の必要がないが、監視が必要となる外出時や夜間においては、使用を停止しているそのパソコンを利用するので、あらたなパソコンやシステムを導入する必要がない。
（３）通常のソフトが働く第１のＯＳ（Ｗｉｎｄｏｗｓ）が本監視システム動作時には起動していないので、外部からのハッカー等の侵入に対して、ハードディスクの内容を書き換えられるなどの危険がない。
【図面の簡単な説明】
【図１】本発明の実施の形態におけるパソコンとＯＳの関係を示す概略説明図である。
【符号の説明】
１  パソコン
２  ハードディスクドライブ（ＨＤＤ）
３  ＣＤ−ＲＯＭ
４  フレキシブルディスク（ＦＤ）
【図１】
2004280137.tif 000003